(57)【要約】      （修正有）【課題】一般家庭用の石油ストーブに適用する灯油給油量検知装置を提供する。【解決手段】本灯油給油量検知装置１の背板２２部を持ち、フロート３２を給油タンク４の給油口４ａから給油タンク内に挿入し、次に天板２１部の下部にある側板２３と筒２６と天板２１で形成されている空間を給油口４ａの上部にセットする。灯油の油面６がフロート３２を押し上げ、警告旗３３が本体２の天板２１から上昇して、満タンク状態を示している。この状態で給油ポンプのブリーザーパイプを操作し、給油を停止させると共に、給油ポンプのパイプ５を給油タンク４から引き揚げると給油ポンプのパイプ内に残っている灯油が給油タンク内に流れ込むが、この量に見合うスペースが給油タンク内にはフロート３２の高さ分で確保されているので、灯油が給油タンク４から溢れ出ることもなく給油が完了する。【選択図】図７
0003168783.tif 000002
【実用新案登録請求の範囲】
【請求項１】
本体（２）と油位計（３）とから成る灯油給油量検知装置（１）であって、本体（２）は、水平な天板（２１）と天板（２１）の一辺から垂直に上部に延設された背板（２２）と、天板（２１）の背板（２２）側の一辺から下方に垂下されている筒（２６）と、この背板（２２）側の片端から始まり、他端に至る天板（２１）の下面から垂下された円弧状の側板（２３）とで形成されていて、この側板（２３）が形成する円弧内に上記筒（２６）が内包されており、この側板（２３）と筒（２６）と天板（２１）によって形成されている空間Ａは、用いようとする給油タンク（４）の燃料給油口（４ａ）の口金の円弧がはまり込む大きさと形状となされていて、上記天板（２１）には背板（２２）のごく近傍と背板（２２）の反対側辺の近傍との２か所に天板（２１）を貫通する穴（２４）、穴（２５）が穿たれていて、上記筒（２６）は背板（２２）側の穴（２４）の天板（２１）の下側に垂下されていて、この筒（２６）の内腔の横断面は穴（２４）と同寸法、同形状であり、この穴（２４）と筒（２６）には油位計（３）の検知棒（３１）が垂直に挿入されていて、この検知棒（３１）の下部には油位計（３）のフロート（３２）が備えられており、又、検知棒（３１）の上部はＬ字状に水平に曲げられた水平部（３５）を有し、この水平部（３５）の先端には油位計（３）の警告旗（３３）が垂下されていて、この警告旗（３３）はもう一つの穴（２５）を上下するようになされていることを特徴とする灯油給油量検知装置（１）。
【考案の詳細な説明】
【技術分野】
【０００１】灯油給油量検知装置に関する
【背景技術】
【０００２】  現在、各家庭で広く使用されている家庭用石油ストーブの給油タンクに灯油を給油する時、給油口が小さい上に、給油ポンプの給油用パイプが太いために給油タンク内に給油中の灯油の油面の高さが見え難いのが実状であり、又、給油タンクの側面についている油面計が給油中は給油タンクを地面に近い所に置くために油面計が見難いという実態から、余程の注意をして給油作業をしないと灯油を給油タンクから溢れ出させてしまうという不具合が各家庭において、多発しているのが実態である。
【考案の概要】
【考案が解決しようとする課題】
【０００３】  家庭用石油ストーブの給油タンクに灯油を給油する時に、常に注意をしながら給油するという精神的な負担をなくし、安心して灯油を給油タンクに給油出来ると共に、灯油が給油タンクから溢れ出るという不具合を解決しようとするものである。
【課題を解決するための手段】
【０００４】  本考案は上記の不具合を解決するためになされたものであり、本考案の灯油給油量検知装置（１）は、本体（２）と油位計（３）とから成り、本体（２）は水平な天板（２１）と天板（２１）の一辺から垂直に上部に延設された背板（２２）と、天板（２１）の背板（２２）側の一辺から下方に垂下されている筒（２６）と、この背板（２２）側の片端から始まり、他端に至る天板（２１）の下面から垂下された円弧状の側板（２３）とで形成されていて、この側板（２３）が形成する円弧内に上記筒（２６）が内包されており、この側板（２３）と筒（２６）と天板（２１）によって形成されている空間Ａは、用いようとする給油タンク（４）の燃料給油口（４ａ）の口金の円弧がはまり込む大きさと形状となされていて、上記天板（２１）には背板（２２）のごく近傍と背板（２２）の反対側辺の近傍との２か所に天板（２１）を貫通する穴（２４）、穴（２５）が穿たれていて、上記筒（２６）は背板（２２）側の穴（２４）の天板（２１）の下側に垂下されていて、この筒（２６）の内腔の横断面は穴（２４）と同寸法、同形状であり、この穴（２４）と筒（２６）には油位計（３）の検知棒（３１）が垂直に挿入されていて、この検知棒（３１）の下部には油位計（３）のフロート（３２）が備えられており、又、検知棒（３１）の上部はＬ字状に水平に曲げられた水平部（３５）を有し、この水平部（３５）の先端には油位計（３）の警告旗（３３）が垂下されていて、この警告旗（３３）はもう一つの穴（２５）を上下するようになされていることを特徴とする。【０００５】  本灯油給油量検知装置（１）の材料としては、アルミ、紙、木材、合成樹脂等色々考えられるが、軽量性と耐久性において優位で、灯油に対して強い材料特性を有するとして、合成樹脂材が好ましい。【０００６】  本発明の本体（２）は図４に示すように石油ストーブの給油タンク（４）の上部の給油口（４ａ）に本体（２）の天板（２１）部を水平に載せることで油位計（３）のフロート（３２）は、給油タンク（４）の内部にセットされる。【０００７】  本体（２）の天板（２１）の一辺から垂直に上部に延設された背板（２２）は、給油ポンプのパイプ（５）が油位計（３）の作動を阻害することがないように、給油ポンプのパイプ（５）を油位計（３）から隔てるための邪魔板であり、かつ、本灯油給油量検知装置（１）を給油タンク（４）にセットする時の把手の役目をしている。【０００８】  本体（２）の背板（２２）のごく近傍に設けられた天板（２１）を貫通する穴（２４）の下面側には、この穴（２４）と同寸法、同形状の内腔を持つ、筒（２６）  が設けられており、この穴（２４）と筒（２６）の中には油位計（３）の検知棒（３１）が挿入され、筒（２６）はこの検知棒（３１）が灯油面（６）の波立ちで揺れ動く可能性のあるフロート（３２）の動きを確実に垂直方向の動きに変換して伝えるためのガイドの役目をしている。【０００９】  本体（２）の背板（２２）の反対側辺の近傍にある穴（２５）は油位計（３）の警告旗（３３）を収納する役目と、油位計（３）のフロート（３２）の上昇に応じて、この警告旗（３３）が上昇する時のガイドの役目をしている。【００１０】  本体（２��の天板（２１）の背板（２２）側の片端から始まり、他端に至る天板（２１）の下面から垂下された円弧状の側板（２３）が設けられていて、この側板（２３）が形成する円弧内に筒（２６）が内包されていて、この側板（２３）と筒（２６）と天板（２１）によって形成されている空間Ａは、用いようとする給油タンク（４）の燃料給油口（４ａ）の口金の円弧がはまり込む大きさと形状となされていて、本体（２）を給油口（４ａ）の上に水平にセット出来ることを可能にしている。【００１１】  油位計（３）はフロート（３２）、検知棒（３１）及び警告旗（３３）の３つの部品で構成されている。【００１２】  フロート（３２）の外形は円筒形状で内部は中空で灯油の油面変化に追随し易い軽い形状とし、その高さは給油タンク（４）に灯油を給油し、満タンク状態に近づき、給油ポンプの給油停止操作作業後に給油タンク（４）の上部に給油ポンプ内の灯油が追加注入されても給油タンク（４）から灯油が溢れ出ないだけの空間を確保出来る寸法に設定されている。【００１３】    検知棒（３１）はフロート（３２）と警告旗（３３）を繋ぐ、Ｌ字型の板状のものであり、フロート（３２）の動きを忠実に警告旗（３３）に伝える役目をしている。【００１４】  警告旗（３３）は検知棒（３１）の上部のＬ字状に水平に曲げられた水平部（３５）の先端に垂下されており、天板（２１）の穴（２５）に収納されていて、灯油が給油タンク（４）内に満タンク状態になった時に、油位計（３）のフロート（３２）の動きが検知棒（３１）を介して伝えられた時に、この穴（２５）より上昇して満タンク状態を報せるためのものであり、旗の両面に赤色塗料（３４）を塗布し、注意喚起のための配慮がなされている。
【考案の効果】
【００１５】  上述の通り、本灯油給油量検知装置は、軽量、コンパクト、給油時に簡単に装着出来て、灯油の給油作業を行うことが出来、かつ、給油作業をする人は給油中に灯油が溢れ出ないかという心配をすることなく、安心して給油作業が出来るだけでなく、灯油が給油タンクから溢れ出ないために灯油を無駄に捨てるという不具合も同時に解消される効果がある。
【図面の簡単な説明】
【００１６】
【図１】本考案の灯油給油量検知装置の説明図である。
【図２】本考案の灯油給油量検知装置の縦断面図である。
【図３】本考案の灯油給油量検知装置を斜め下方からみた説明図である。
【図４】本考案の灯油給油量検知装置の給油タンクへの装着時の上面図である。
【図５】本考案の灯油給油量検知装置の給油タンクへの装着時の断面図である。
【図６】本考案の灯油給油量検知装置の給油タンクへの給油完了時の上面図である。
【図７】本考案の灯油給油量検知装置の給油タンクへの給油完了時の断面図である。
【考案を実施するための形態】
【実施例】
【００１７】  以下、図面を用いて実施例を説明する。
まず、図１、図２及び図３を用いて、本灯油給油量検知装置（１）の構造を説明する。なお、図３は、図１を斜め下方から見た図である。
本体（２）は水平な半楕円形（幅：４０ｍｍ、長さ：４０ｍｍ、厚さ：２ｍｍ）をした天板（２１）と天板（２１）の一辺から垂直に上部に延設された半円形（半径：２０ｍｍ、厚さ：２ｍｍ）の背板（２２）と、この背板（２２）側の片端から始まり、他端に至る天板（２１）の下面から垂下された円弧状の側板（２３）（高さ：１０ｍｍ、厚さ：２ｍｍ、半円径：１８ｍｍ）が設けられており、この側板（２３）が形成する円弧内に筒（２６）が内包されていて、この側板（２３）と筒（２６）と天板（２１）によって形成されている空間Ａが用いようとする給油タンク（４）の口径３２ｃｍの燃料給油口（４ａ）の口金の円弧がはまり込む大きさ、形状になっている。【００１８】  本体（２）の天板（２１）には、本体（２）の背板（２２）のごく近傍に設けられた天板（２１）を貫通する穴（２４）（幅：２ｍｍ、長さ：８ｍｍ）があり、その下面側には、この穴（２４）と同寸法、同形状の内腔を持つ、筒（２６）（厚さ：２ｍｍ）  が設けられており、その筒（２６）の長さ（３０ｍｍ）は油位計（３）の検知棒（３１）が灯油面（６）の波立ちで揺れ動く可能性のあるフロート（３２）の動きを確実に垂直方向に変換して伝えるためのガイドの役目を果たすために必要な長さとなっている。【００１９】  本体（２）の天板（２１）の背板（２２）の反対側辺の近傍にある穴（２５）（幅：２ｍｍ、長さ：１５ｍｍ）は油位計（３）の警告旗（３３）を収納する役目と、油位計（３）のフロート（３２）の上昇に応じて、この警告旗（３３）が上昇する時のガイドの役目をしている。【００２０】  油位計（３）はフロート（３２）、検知棒（３１）及び警告旗（３３）の３つの部品で構成されている。【００２１】  フロート（３２）の外形は円筒形状（直径：２２ｍｍ：厚さ：０．５ｍｍ）で内部は中空で灯油の油面変化に追随し易い軽い形状とし、その高さ（２０ｍｍ）は給油タンク（４）に灯油を給油し、満タンク状態に近づき、給油ポンプの給油停止操作作業後に給油タンク（４）の上部に給油ポンプ内の灯油が追加注入されても給油タンク（４）から灯油が溢れ出ないだけの空間を確保出来る寸法に設定されている。【００２２】  警告旗（３３）は灯油が給油タンク（４）内に満タンク状態になったことを報せるためのものであり、旗の大きさは幅：１０ｍｍ、長さ：２０ｍｍ、厚さ：１ｍｍで両面に赤色塗料（３４）を塗布し、注意喚起のための配慮がなされている。【００２３】  検知棒（３１）はフロート（３２）と警告旗（３３）を繋ぐ、Ｌ字型の板状のものであり、厚さ：１ｍｍ、幅：６ｍｍ、上部の水平に曲げられたＬ字状の水平部の長さ：２０ｍｍ、垂直部の長さ：５０ｍｍとし、フロート（３２）の動きを忠実に警告旗（３３）に伝える役目をしている。【００２４】  図４及び図５は給油タンク（４）への本灯油給油量検知装置（１）の装着状態を示したものであり、その手順としては、まず、本灯油給油量検知装置（１）の背板（２２）部を持ち、フロート（３２）を給油タンク（４）の給油口（４ａ）から給油タンク内に挿入し、次に天板（２１）部の下部にある側板（２３）と筒（２６）と天板（２１）で形成されている空間Ａ部を給油口（４ａ）の上部にセットする。【００２��】  その後に給油ポンプの給油パイプ（５）を給油口（４ａ）にセットすることで本灯油給油量検知装置（１）の給油タンク（４）への装着は完了する。【００２６】  図６及び図７は給油満タンク状態を示したものであり、灯油の油面（６）がフロート（３２）を押し上げ、警告旗（３３）が本体（２）の天板（２１）から上昇して、満タンク状態を示している。この状態で給油ポンプのブリーザーパイプを操作し、給油を停止させると共に、給油ポンプのパイプ（５）を給油タンク（４）から引き揚げると給油ポンプのパイプ内に残っている灯油が給油タンク内に流れ込むが、この量に見合うスペースが給油タンク内にはフロート（３２）の高さ分で確保されているので、灯油が給油タンク（４）から溢れ出ることもなく給油が完了する。
【産業上の利用可能性】  市場には、電動式ポンプも市販されているが、一般の人々は高価な電動式にはあまり興味がなく、最も廉価な手動式ポンプが大勢を占めている現実から判断して、本考案品は広く一般の人々の要求にマッチすると判断出来ることから、広い使用が期待出来ると共に、大切な石油資源の無駄使いをも防止出来るという社会的なエコ活動にも貢献できる。
【符号の説明】
【００２７】１        灯油給油量検知装置
２        本体
２１      天板
２２      背板
２３      側板
２４      穴
２５      穴
２６      筒
３        油位計
３１      検知棒
３２      フロート
３３      警告旗
３４      赤色塗料
３５      水平部
４        給油タンク
４ａ      給油口
５        給油パイプ
６        油面
【図１】
0003168783.tif 000003
【図２】
0003168783.tif 000004
【図３】
0003168783.tif 000005
【図４】
0003168783.tif 000006
【図５】
0003168783.tif 000007
【図６】
0003168783.tif 000008
【図７】
0003168783.tif 000009